(57)【要約】【課題】  本発明は、カセット筐体に多量のシート束を積載した状態でカセット筐体を勢い良く閉めても規制部材が撓むことなく正確な位置でシートを給送することができるシート給送装置を提供する。【解決手段】  大容量給送デッキ51から抜き差し可能に設けられ、シートＳを積載するカセット52と、該カセット52に設けられ、該カセット52に積載されたシートＳの少なくとも一辺の端部を規制する非基準側サイド規制板104と、カセット52に設けられ、大容量給送デッキ51の前面側を覆う外装板101と、大容量給送デッキ51に対するカセット52の位置を決める位置決め部材102ａ，102ｂとを有する大容量給送デッキ51において、非基準側サイド規制板104と、外装板101と、前記位置決め部材102ａ，102ｂとがカセット52に対してそれぞれ移動可能に設けられたことを特徴とする。【選択図】      図９
2016137983.tif 000002
【特許請求の範囲】
【請求項１】
装置本体から抜き差し可能に設けられ、シートを積載するカセット筐体と、
前記カセット筐体に設けられ、該カセット筐体に積載されたシートの少なくとも一辺の端部を規制する規制部材と、
前記カセット筐体に設けられ、前記装置本体の前面側を覆う外装部材と、
前記装置本体に対する前記カセット筐体の位置を決める位置決め部材と、
を有するシート給送装置において、
前記規制部材と、前記外装部材と、前記位置決め部材とが前記カセット筐体に対してそれぞれ移動可能に設けられたことを特徴とするシート給送装置。
【請求項２】
前記カセット筐体の周囲の一辺に配置された操作レバーと、
前記操作レバーと、前記規制部材と、前記外装部材と、前記位置決め部材とを連結する連結部材を有し、
前記操作レバーを所定のシートサイズに設定することにより、前記連結部材によって前記規制部材と、前記外装部材と、前記位置決め部材とが連動して所定の位置に位置決めされることを特徴とする請求項１に記載のシート給送装置。
【請求項３】
前記規制部材と、前記外装部材と、前記位置決め部材とが前記カセット筐体に対して、該カセット筐体の前記装置本体に対する挿入方向に移動することを特徴とする請求項１または請求項２に記載のシート給送装置。
【請求項４】
前記規制部材の移動量は、前記位置決め部材の移動量の二倍に設定されたことを特徴とする請求項３に記載のシート給送装置。
【請求項５】
前記規制部材は、前記カセット筐体内で回転可能に構成されており、該規制部材が回転することで異なるサイズのシート端部を規制可能に構成されたことを特徴とする請求項１〜４のいずれか１項に記載のシート給送装置。
【請求項６】
前記規制部材は、
前記カセット筐体に積載されたシートのシート給送方向と平行な端部に当接して該シートの幅方向の位置規制を行なうサイド規制部材と、
前記シートのシート給送方向の後端部に当接して該シートの給送方向の位置規制を行なう後端規制部材と、
を有し、
前記後端規制部材と、前記サイド規制部材とが連動して所定の位置に位置決めされることを特徴とする請求項１〜５のいずれか１項に記載のシート給送装置。
【請求項７】
請求項１〜６のいずれか１項に記載のシート給送装置と、
シートに画像を形成する画像形成手段と、
を有することを特徴とする画像形成装置。
【発明の詳細な説明】
【技術分野】
【０００１】
本発明は、シート給送装置及びこれを備えた画像形成装置に関する。
【背景技術】
【０００２】
従来、シートに画像を形成するプリンタ、ファクシミリ装置、複写機、或いは、これらの複合機器等の画像形成装置においては、カセットに収納されたシートを画像形成部に給送するシート給送装置を備えている。シート給送装置の一例としては、シートを積載する中板と、シート給送方向と直交する方向（以下、「幅方向」という）に移動してシートの側端を規制するサイド規制部材と、を備えたものがある。そして、シートのサイズに合わせてシートの両側端に位置するサイド規制部材を、それぞれ所定の位置に移動させる。これによりシートの位置決めを行なう。
【０００３】
従来のシート給送装置におけるシートの両側端の位置を規制するサイド規制部材の位置決め方法としては、所定位置に形成された差込穴に各規制部材を差し込む差込方式のものがある。或いは、シートの両側端の規制部材のシート規制方向のみをスライド可能に規制して、両規制部材をベルトでつなぎ、互いに反対方向に同一量だけスライド移動することによってシート幅方向の位置決めをするスライド方式のものが知られている。（例えば、特許文献１）
【先行技術文献】
【特許文献】
【０００４】
【特許文献１】特開２０００−３０９４３１号公報
【発明の概要】
【発明が解決しようとする課題】
【０００５】
差込穴に各規制部材を差し込む差込方式では、シートサイズを変更する場合に規制部材を一度、差込穴から外した後、所定の位置の差込穴に差し込み直さければならないため操作に手間がかかる。
【０００６】
特許文献１のようにスライド方式のものでは、規制部材をスライドさせるだけで該規制部材の位置を変更することができるため操作が簡単である。
【０００７】
しかしながら、スライド方式のものは、操作部に対向して配置された装置奥側に位置するサイド規制部材を操作部の動作で移動させる必要があるためサイド規制部材のシートに当接する当接部に撓みが生じ易い。
【０００８】
特に、装置本体に対してカセット筐体が抜き差しに構成された場合では、カセット筐体の引き出し方向の前後に両サイド規制部材が配置される。更に、ユーザが操作し易いように操作部をカセット筐体の前側に配置している場合がある。その場合、カセット筐体に多量のシート束をセットして、カセット筐体を勢い良く閉める。すると、セットしたシート束の重量によりカセット筐体に作用する慣性力によって装置奥側のサイド規制部材が押圧されて撓む場合がある。装置奥側のサイド規制部材が押圧されて撓んだ場合には、サイド規制部材の上部における正確なシート束の位置決めが困難となる。
【０００９】
本発明は前記課題を解決するものであり、その目的とするところは、カセット筐体に多量のシート束を積載した状態でカセット筐体を勢い良く閉めても規制部材が撓むことなく正確な位置でシートを給送することができるシート給送装置を提供する。
【課題を解決するための手段】
【００１０】
上記目的を達成するための本発明に係るシート給送装置の代表的な構成は、装置本体から抜き差し可能に設けられ、シートを積載するカセット筐体と、前記カセット筐体に設けられ、該カセット筐体に積載されたシートの少なくとも一辺の端部を規制する規制部材と、前記カセット筐体に設けられ、前記装置本体の前面側を覆う外装部材と、前記装置本体に対する前記カセット筐体の位置を決める位置決め部材と、を有するシート給送装置において、前記規制部材と、前記外装部材と、前記位置決め部材とが前記カセット筐体に対してそれぞれ移動可能に設けられたことを特徴とする。
【発明の効果】
【００１１】
上記構成によれば、カセット筐体に多量のシート束を積載した状態でカセット筐体を勢い良く閉めても規制部材が撓むことなく正確な位置でシートを給送することができる。
【図面の簡単な説明】
【００１２】
【図１】本発明に係るシート給送装置を備えた画像形成装置の構成を示す斜視図である。
【図２】シート給送装置内のカセット筐体を引き出した状態を示す斜視図である。
【図３】シート給送装置内のシート給送手段の構成を示す断面説明図である。
【図４】第１実施形態のシート給送装置本体に抜き差し可能に設けられるカセット筐体の構成を示す斜視図である。
【図５】第１実施形態においてカセット筐体をシート給送装置本体に装着した状態を示す斜視説明図である。
【図６】（ａ）はカセット筐体を引き出したときの引き込み機構の状態を示す断面説明図である。（ｂ）はカセット筐体を挿入したときの引き込み機構の状態を示す断面説明図である。
【図７】（ａ）は第１実施形態においてＬＴＲサイズに変更した際の連結部材の状態を示す断面説明図である。（ｂ）は第１実施形態においてＡ４サイズに変更した際の連結部材の状態を示す断面説明図である。
【図８】（ａ），（ｂ）は第１実施形態においてＬＴＲサイズに変更した際の外装部材の状態を示す断面説明図である。（ｃ），（ｄ）は第１実施形態においてＡ４サイズに変更した際の外装部材の状態を示す断面説明図である。
【図９】（ａ）は第１実施形態においてＬＴＲサイズに変更した際のカセット筐体の状態を示す断面説明図である。（ｂ）は第１実施形態においてＡ４サイズに変更した際のカセット筐体の状態を示す断面説明図である。
【図１０】第２実施形態においてカセット筐体をシート給送装置本体から引き出した状態を示す斜視説明図である。
【図１１】第２実施形態のシート給送装置本体に抜き差し可能に設けられるカセット筐体の構成を示す斜視図である。
【図１２】第２実施形態において外装部材に設けられた連結部材の構成を示す斜視説明図である。
【図１３】（ａ）は第２実施形態においてＬＴＲサイズに変更した際の非基準側サイド規制部材の状態を示す断面説明図である。（ｂ）は第２実施形態においてＡ４サイズに変更した際の非基準側サイド規制部材の状態を示す断面説明図である。（ｃ）は第２実施形態においてＬＧＬサイズに変更した際の非基準側サイド規制部材の状態を示す断面説明図である。
【図１４】（ａ）は第２実施形態においてＬＴＲサイズに変更した際の外装部材の状態を示す断面説明図である。（ｂ）は第２実施形態においてＡ４サイズに変更した際の外装部材の状態を示す断面説明図である。（ｃ）は第２実施形態においてＬＧＬサイズに変更した際の外装部材の状態を示す断面説明図である。
【図１５】（ａ）は第２実施形態においてＬＴＲサイズに変更した際の位置決め部材の状態を示す断面説明図である。（ｂ）は第２実施形態においてＡ４サイズに変更した際の位置決め部材の状態を示す断面説明図である。（ｃ）は第２実施形態においてＬＧＬサイズに変更した際の位置決め部材の状態を示す断面説明図である。
【発明を実施するための形態】
【００１３】
図により本発明に係るシート給送装置を備えた画像形成装置の一実施形態を具体的に説明する。
【実施例１】
【００１４】
先ず、図１〜図９を用いて本発明に係るシート給送装置を備えた画像形成装置の第１実施形態の構成について説明する。
【００１５】
＜画像形成装置＞
図１〜図３を用いて本発明に係るシート給送装置となる大容量給送デッキ51を下部に備えた画像形成装置１の構成について説明する。図１は大容量給送デッキ51を下部に備えた画像形成装置１の全体構成を示す斜視図である。図２は大容量給送デッキ51（装置本体）からカセット52（カセット筐体）を引き出した状態を示す斜視図である。図３は大容量給送デッキ51に設けられたシート給送手段の構成を示す断面説明図である。
【００１６】
図１〜図３に示す本実施形態は、シート給送装置となる大容量給送デッキ51をレーザービームプリンタ（ＬＢＰ）からなる画像形成装置１の下部に設けた一例である。図１〜図３に示すように、本実施形態の画像形成装置１の大容量給送デッキ51の上部には、該大容量給送デッキ51から給送されたシートＳに画像を形成する画像形成手段となる画像形成部２が設けられている。
【００１７】
画像形成部２は周知の画像形成プロセス手段により構成される。特に図示しないが、画像形成部２は、画像情報に応じた静電潜像を担持する像担持体を有する。更に、前記像担持体の表面を一様に帯電する帯電手段を有する。更に、前記帯電手段により帯電された像担持体の表面に画像情報に応じた光を照射して静電潜像を形成する像露光手段を有する。
【００１８】
更に、画像形成部２は、前記像担持体の表面に形成された静電潜像に現像剤（トナー）を供給して現像する現像手段を有する。更に、前記像担持体の表面に形成されたトナー像をシートＳに転写する転写手段を有する。更に、トナー像を転写した後に前記像担持体の表面に残留するトナーを掻き取って該像担持体の表面をクリーニングするクリーニング手段等を有して構成される。
【００１９】
＜シート給送装置＞
次に図１〜図３を用いて本発明に係るシート給送装置となる大容量給送デッキ51の構成について説明する。図１〜図３に示すように、本実施形態の大容量給送デッキ51は、画像形成装置１の下部に配置され、画像形成装置１本体の載置台を兼ねる。大容量給送デッキ51の脚部６には、画像形成装置１本体を載せた状態での移動を考慮して四箇所にキャスタ３（車輪）が取り付けられている。
【００２０】
図３に示すように、大容量給送デッキ51には、シート給送手段として中板58上に積載されたシートＳ束の最上位のシートＳ１に当接して給送する給送ローラ53を有する。更に、該給送ローラ53により繰り出されたシートＳを分離給送するフィードローラ54とリタードローラ55とからなる分離ローラ４を有する。更に、該分離ローラ４により一枚ずつ分離給送されるシートＳを画像形成装置１本体に設けられた搬送パスに送り出す搬送ローラ56等が設けられている。
【００２１】
大容量給送デッキ51には、該大容量給送デッキ51（装置本体）から抜き差し可能に設けられ、中板58上にシートＳを積載するカセット52（カセット筐体）が設けられている。カセット52の中板58上には、様々なサイズや坪量の紙等のシートＳが積載可能で、且つ画像形成装置１本体に設けられた搬送パスに給送可能に構成されている。
【００２２】
大容量給送デッキ51は、画像形成装置１本体に設けられた図示しない制御手段となる制御部からシート給送信号を受け取る。すると、図５に示す駆動源となるモータ62により図４に示すワイヤ巻取り軸63が回転してワイヤ59を巻き取ることにより該ワイヤ59に係止された中板58が昇降する。更に、シート給送手段となる給送ローラ53、分離ローラ４、搬送ローラ56等が回転駆動して該カセット52の中板58上に積載されたシートＳを画像形成装置１本体に対して一枚ずつ給送する。
【００２３】
＜シート給送手段＞
次に図１〜図６を用いて大容量給送デッキ51に設けられたシート給送手段と、カセット52の構成について説明する。図１〜図３に示すように大容量給送デッキ51は、シートＳを中板58上に積載するカセット52を有する。カセット52内には、図３〜図５に示すように、シートＳ束を積載するシート積載台となる中板58が昇降手段となるワイヤ59によって昇降可能に設けられる。
【００２４】
中板58上に積載されたシートＳ束の最上位のシートＳ１は、図３及び図５に示す給送ローラ53に当接する位置まで上昇し、該給送ローラ53が回転駆動されることにより送り出される。該給送ローラ53により送り出されたシートＳは、分離ローラ４を構成するフィードローラ54と、リタードローラ55との作用により一枚ずつに分離給送される。該分離ローラ４によって一枚ずつに分離給送されたシートＳは、搬送ローラ56により挟持搬送されて画像形成装置１本体に設けられた搬送パスに給送される。
【００２５】
中板58は、図４及び図５に示すように、ワイヤ59により吊り下げられている。該ワイヤ59は、図４に示すワイヤ巻取り軸63に巻取り可能に取り付けられている。ワイヤ巻取り軸63に取り付けられたギア60は、図５に示す大容量給送デッキ51内に設けられたリフター駆動装置61の図示しないギアと噛合い可能に設けられている。リフター駆動装置61に設けられたモータ62を回転させることによりワイヤ巻取り軸63にワイヤ59を巻き取る。これにより中板58を図３〜図５の上方向に移動（リフトアップ）することが出来る。
【００２６】
図１及び図２に示すように、カセット52は、該カセット52内の中板58上にシートＳ束を積載する際にユーザによって大容量給送デッキ51に対して抜き差し可能に設けられている。図２に示すように、カセット52を大容量給送デッキ51から引き出すと、図５に示す該大容量給送デッキ51に設けられたリフター駆動装置61の図示しないギアと、図４に示すカセット52に設けられたギア60との接続が解除される。これにより中板58は、自重により図２及び図３に示す最下位置まで下降する。
【００２７】
図２に示すように、カセット52を大容量給送デッキ51から引き出した状態で中板58上にシートＳ束を積載し、該カセット52を大容量給送デッキ51内の方向に移動して挿入する。すると、図４及び図６（ａ），（ｂ）に示すカセット52に設けられた引き込みピン70が、図５及び図６（ａ），（ｂ）に示す大容量給送デッキ51に設けられた引き込み機構71と係合する。
【００２８】
引き込み機構71には、図６（ａ），（ｂ）に示すように、フック72と、付勢手段となるバネ73が内蔵されている。図５に示すカセット52の挿入時に該カセット52に設けられた引き込みピン70が図６（ｂ）に示すように大容量給送デッキ51に設けられた引き込み機構71のフック72の係合溝72ｂ内に挿入される。そして、引き込みピン70が該係合溝72ｂ内の内壁面に当接して該フック72を図６（ａ）に示す状態にあるバネ73の引っ張り力に抗して回動中心72ａを中心に図６（ｂ）の反時計回り方向に押し回す。
【００２９】
フック72が回動中心72ａを中心に図６（ｂ）の反時計回り方向に所定角度だけ回動すると、バネ73の引っ張り力により引き込みピン70がガイド溝71ａに沿って引き込み機構71の内部まで引き込まれる。これによりカセット52が図２の矢印Ａ方向で示す挿入方向に引き込まれる。
【００３０】
そして、図４、図５及び図９（ａ），（ｂ）に示す大容量給送デッキ51（装置本体）に対するカセット52（カセット筐体）の位置を決める位置決め部材102ａ，102ｂが大容量給送デッキ51のフレーム部51ａに当接する。これによりカセット52が大容量給送デッキ51内の所定位置に装着される。このとき、図５に示す該大容量給送デッキ51に設けられたリフター駆動装置61の図示しないギアと、図４に示すカセット52に設けられたギア60とが噛合する。
【００３１】
図示しない検知手段によりカセット52が大容量給送デッキ51に装着されたことを検知する。図示しない制御部は、図示しない検知手段により検知した検知信号に基づいて図５に示すリフター駆動装置61のモータ62を回転駆動する。これにより図４に示すギア60が固定されたワイヤ巻取り軸63が回転してワイヤ59が巻き取られる。
【００３２】
これによりワイヤ59に接続された中板58が上昇する。そして、図示しないシート面検知手段による検知信号に基づいて図示しない制御部が図５に示すリフター駆動装置61のモータ62の回転を停止する。これにより中板58上に積載されたシートＳ束の最上位のシートＳ１のシート面が給送ローラ53に当接したタイミングで図５に示すリフター駆動装置61のモータ62の回転が停止する。
【００３３】
図示しない制御部は、図示しない駆動源となるモータを回転駆動して図３及び図５に示す給送ローラ53と、分離ローラ４と、搬送ローラ56とを回転駆動する。これによりカセット52の中板58上に積載されたシートＳ束の最上位のシートＳ１が給送ローラ53により繰り出され、フィードローラ54とリタードローラ55とにより構成される分離ローラ４のニップ部に進入して分離給送される。
【００３４】
図示しない制御部は、図５に示すリフター駆動装置61のモータ62を回転駆動してカセット52の中板58上に積載されたシートＳ束の最上位のシートＳ１が給送ローラ53に当接する位置に移動し、この位置を維持するように制御する。
【００３５】
画像形成装置１本体からシート給送信号が送られてくると、給送ローラ53が中板58上の最上位のシートＳ１に当接して回転する。これにより中板58上の最上位のシートＳ１を図３に示すように、給送ローラ53よりも下流側に配置されたフィードローラ54とリタードローラ55とにより構成される分離ローラ４のニップ部まで給送する。分離ローラ４は、給送方向に回転するフィードローラ54と、戻し方向に回転するリタードローラ55とにより給送ローラ53によって送り込まれたシートＳを一枚ずつ分離給送して搬送ローラ56に受け渡す。
【００３６】
更に、シートＳは搬送ローラ56に挟持搬送されて大容量給送デッキ51本体と、画像形成装置１本体とを接続する図示しない搬送パスに導かれて画像形成装置１本体内に設けられた画像形成部２に搬送される。画像形成装置１本体からシートＳの給送信号が送られてくるたびに、上記給送動作を繰り返して画像形成装置１本体にシートＳを一枚ずつ送り出している。
【００３７】
＜規制部材＞
図４及び図５に示すように、カセット52（カセット筐体）には、規制部材となる非基準側サイド規制板104が該カセット52（カセット筐体）に対して移動可能に設けられている。非基準側サイド規制板104は該カセット52内で昇降可能に設けられた中板58上に積載されたシートＳの少なくとも一辺の端部を規制する。
【００３８】
図４及び図５において、111は、シート積載台となる中板58上のシートＳの幅方向の一辺の側端部の位置を規制するサイド規制部材となる基準側サイド規制板である。基準側サイド規制板111は、カセット52の筐体部57と締結固定されている。従って、基準側サイド規制板111は、カセット52（カセット筐体）に対して固定位置に配置される。
【００３９】
図４及び図５において、104は、幅寄せ板を備えたサイド規制部材となる非基準側サイド規制板である。カセット52内で昇降可能に設けられた中板58上のシートＳは、基準側サイド規制板111と、非基準側サイド規制板104とが該シートＳの両側端部に当接することによりシート幅方向の位置が規制される。
【００４０】
基準側サイド規制板111と、非基準側サイド規制板104とは該中板58上で対向して設けられる。基準側サイド規制板111は固定位置に設けられる。非基準側サイド規制板104はシート幅方向に移動可能に設けられる。
【００４１】
図４及び図５において、105は、カセット52（カセット筐体）の周囲の一辺に配置された操作部材となる操作レバーである。操作レバー105は図７（ａ），（ｂ）に示す軸106の上端部に設けられている。軸106の長手方向中央部には、カセット52の筐体部57に支持された回動軸８ａを中心に回動自在に設けられたホルダ部材８が固定されている。ホルダ部材８には、長手方向（図７（ａ），（ｂ）の左右方向）に細長い菱形状の回転部材107が固定されている。
【００４２】
回転部材107の長手方向両端部は、上下スライド部材103ａ，103ｂに設けられた方形状の貫通穴（長穴）からなるスリット５内に摺動自在に挿入されている。
【００４３】
これにより操作レバー105は、連結部材を介して大容量給送デッキ51本体（装置本体）に対するカセット52（カセット筐体）の位置を決める位置決め部材102ａ，102ｂに連結されている。連結部材は、図７（ａ），（ｂ）に示す軸106、回転部材107、上下スライド部材103ａ，103ｂ等により構成される。
【００４４】
図４及び図５に示すように、カセット52（カセット筐体）には、大容量給送デッキ51本体（装置本体）の前面側を覆う外装部材となる外装板101が移動可能に設けられている。
【００４５】
規制部材となる非基準側サイド規制板104と、外装部材となる外装板101と、位置決め部材102ａ，102ｂとは、カセット52（カセット筐体）に対してそれぞれ移動可能に設けられている。
【００４６】
ユーザが操作レバー105を図４及び図５の矢印Ｘ方向（或いは、矢印Ｘ方向と反対方向）に移動させる。これにより図７（ａ），（ｂ）に示す連結部材となる軸106、回転部材107、上下スライド部材103ａ，103ｂを介してカセット52（カセット筐体）に対してそれぞれ移動可能に設けられている。
【００４７】
これによりユーザが操作レバー105を適宜、図４及び図５の矢印Ｘ方向（或いは、矢印Ｘ方向と反対方向）に移動させて所定のシートサイズに設定する。これにより規制部材となる非基準側サイド規制板104と、外装部材となる外装板101と、位置決め部材102ａ，102ｂとが連動して所定の位置に位置決めされる。
【００４８】
規制部材となる非基準側サイド規制板104と、外装部材となる外装板101と、位置決め部材102ａ，102ｂとは、以下の通り移動する。カセット52（カセット筐体）に対して該カセット52（カセット筐体）の大容量給送デッキ51本体（装置本体）に対する挿入方向（図９（ａ），（ｂ）の上下方向）に移動する。
【００４９】
図４及び図５に示す非基準側サイド規制板104は、ユーザが操作する操作レバー105に連動して基準側サイド規制板111に対面する方向（シート幅方向）に移動する。これによりカセット52内の中板58上に積載できるシートＳのサイズを変更することができる。
【００５０】
本実施形態のシート積載台となる中板58上には、ＬＴＲ（Letter；レター）サイズ（２７９．４ｍｍ×２１５．９ｍｍ）のシートＳの幅サイズ（約２１６ｍｍ）のシートＳが積載可能である。更に、Ａ４サイズ（２９７ｍｍ×２１０ｍｍ）のシートＳの幅サイズ（２１０ｍｍ）のシートＳが積載可能である。
【００５１】
これにより二種類の幅サイズのシートＳを中板58上に積載可能である。そして、該シートＳの幅方向の両側端部をシート幅方向に移動可能な非基準側サイド規制板104と、固定位置に配置される基準側サイド規制板111とに当接する。これにより該シートＳの幅方向の両側端部の位置規制が可能なように構成されている。
【００５２】
図７（ａ），（ｂ）は、カセット52の前面側に設けられた非基準側サイド規制板104と、外装板101と、位置決め部材102ａ，102ｂとを動作させる連結部材の構成を示す断面説明図である。図７（ａ）はカセット52内の中板58上に積載するシートＳがＬＴＲサイズの場合を示す。図７（ｂ）はカセット52内の中板58上に積載するシートＳがＡ４サイズの場合を示す。
【００５３】
図７（ａ），（ｂ）において、107は、連結部材を構成する菱形状の回転部材である。回転部材107は、操作レバー105が設けられる軸106の長手方向の略中央部を保持するホルダ部材８により保持されている。ホルダ部材８はカセット52の筐体部57に支持された回動軸８ａを中心に回動自在に軸支されている。
【００５４】
これによりユーザが操作レバー105を図７（ａ）の矢印Ｘ方向（或いは、矢印Ｘ方向と反対方向）に移動させる。これにより該操作レバー105の軸106と回転部材107とが回動軸８ａを中心に図７（ａ）の矢印Ｒ方向（或いは、矢印Ｒ方向と反対方向）に一体的に回動する。
【００５５】
図７及び図８に示すように、菱形状の回転部材107の長手方向（図７（ａ），（ｂ）の左右方向）の両端部に対応する位置には、図７（ａ），（ｂ）の上下方向に移動可能な上下スライド部材103ａ，103ｂが設けられている。上下スライド部材103ａ，103ｂには、図８（ａ）〜（ｄ）に示すように、長手方向が図８（ａ）〜（ｄ）の上下方向に配置された方形状の貫通穴からなるスリット５が設けられている。
【００５６】
上下スライド部材103ａ，103ｂのそれぞれのスリット５内には回転部材107の長手方向の両先端部が摺動自在に挿入されている。これにより回動軸８ａを中心に回動する回転部材107の長手方向の両端部は、スリット５を介して上下スライド部材103ａ，103ｂに係合されている。
【００５７】
例えば、ユーザが操作レバー105を図７（ａ）の矢印Ｘ方向に移動する操作に連動して回転部材107が回動軸８ａを中心に図７（ａ）の矢印Ｒ方向に回動する。すると、回転部材107の回動に連動して上下スライド部材103ａ，103ｂがそれぞれ図７（ａ）の矢印Ｄ，Ｅ方向にそれぞれ移動する。
【００５８】
図４及び図５に示すように、外装板101と、位置決め部材102ａ，102ｂとは一体的に固定されている。図７（ａ），（ｂ）に示す位置決め部材102ａ，102ｂにそれぞれ突設された軸部110が、図８（ａ）〜（ｄ）に示す上下スライド部材103ａ，103ｂを貫通して設けられたカム溝からなるスリット112内に摺動自在に挿通されている。図７（ａ），（ｂ）に示すように、軸部110の先端部は、外装板101に固定された支持部113に設けられた貫通穴からなる穴部113ａ内に嵌合されて固定されている。
【００５９】
外装板101に固定された上下一対の軸部110が該上下スライド部材103ａ，103ｂにそれぞれ上下一対で形成されたカム溝からなるスリット112内に摺動自在に挿通される。各上下スライド部材103ａ，103ｂは、該軸部110がスリット112内を摺動することで図７（ａ），（ｂ）の上下方向に移動可能に支持される。
【００６０】
図７（ａ），（ｂ）に示すように、操作レバー105の軸106には、非基準側サイド規制板104に対して係合可能に設けられた左右スライド部材108が設けられている。例えば、ユーザが操作レバー105を図７（ａ）の矢印Ｘ方向に移動させると、それに連動して左右スライド部材108が図７（ａ）の矢印Ｘ方向に移動する。
【００６１】
＜シートサイズ変更操作＞
次に、図７及び図８を用いてユーザが操作レバー105を操作する動作に連動して非基準側サイド規制板104と、外装板101と、位置決め部材102ａ，102ｂとが動作する様子について説明する。カセット52内の中板58上に積載するシートＳのサイズを変更する際にユーザが操作レバー105を操作する。
【００６２】
操作レバー105の動作に連動して非基準側サイド規制板104と、外装板101と、位置決め部材102ａ，102ｂとが動作する。本実施形態では、図７（ａ）及び図８（ａ），（ｂ）に示すＬＴＲサイズのシートＳから、図７（ｂ）及び図８（ｃ），（ｄ）に示すＡ４サイズのシートＳにシートサイズを変更する際の動作について説明する。
【００６３】
図８（ａ）〜（ｄ）は、外装板101と、図７（ａ），（ｂ）に示す位置決め部材102ａ，102ｂと、上下スライド部材103ａ，103ｂとの動作を説明する図である。図８（ａ），（ｂ）はカセット52内の中板58上に積載するシートＳがＬＴＲサイズの場合を示す。図８（ｃ），（ｄ）はカセット52内の中板58上に積載するシートＳがＡ４サイズの場合を示す。図８（ａ），（ｃ）は図４の左側から上下スライド部材103ａを見た図であり、図８（ｂ），（ｄ）は図４の右側から上下スライド部材103ｂを見た図である。
【００６４】
図４及び図８に示す上下スライド部材103ａ，103ｂには、図４に示すカセット52の筐体部57に突出して設けられた軸109が摺動自在に挿通される長手方向に直線状の貫通穴からなるスリット116が設けられている。図７（ａ），（ｂ）に示すように、上下スライド部材103ａ，103ｂは、カセット52の筐体部57に対して軸109がスリット116内を摺動することで図７（ａ）の矢印Ｄ，Ｅ方向（上下方向）に移動するようになっている。
【００６５】
一方、図７（ａ），（ｂ）に示す上下スライド部材103ａ，103ｂには、図８（ａ）〜（ｄ）に示すスリット112が各直線状のスリット116に並んで上下二箇所に設けられている。スリット112には、位置決め部材102ａ，102ｂから突出した軸部110が摺動自在に挿通される。スリット112は、図８（ａ）〜（ｄ）に示すように、長手方向に左右の段差が形成されたカム溝で構成され、軸部110が摺動自在に挿通される貫通穴からなる。
【００６６】
本実施形態の個々のスリット112は、図８（ａ）〜（ｄ）に示す上部と下部とでは、水平方向（図８（ａ）〜（ｄ）の左右方向）に３ｍｍずれた位置になるように形状されている。
【００６７】
これにより外装板101に固定された上下一対の軸部110が該上下スライド部材103ａ，103ｂにそれぞれ上下一対で形成されたカム溝からなるスリット112内を摺動する。これにより外装板101と上下スライド部材103ａ，103ｂとの間の図８（ａ）〜（ｄ）の左右方向の離間間隔が変化する。即ち、図８（ａ），（ｂ）に示すＬＴＲサイズの場合と、図８（ｃ），（ｄ）に示すＡ４サイズの場合とでは、図８（ａ），（ｂ）に示すＬＴＲサイズの場合の外装板101の方が上下スライド部材103ａ，103ｂから３ｍｍ大きく離間する。
【００６８】
例えば、ユーザがカセット52内の中板58上にＡ４サイズのシートＳを積載したい場合は、図７（ａ）に示すＬＴＲサイズの設定状態から操作レバー105を図７（ａ）の矢印Ｘ方向に移動させる。すると、操作レバー105の図７（ａ）の矢印Ｘ方向の移動に連動して、図７（ａ）に示す軸106と回転部材107とが回動軸８ａを中心に図７（ａ）の矢印Ｒ方向に一体的に回動する。
【００６９】
図７及び図８に示すように、菱形状の回転部材107の長手方向の両端部が上下スライド部材103ａ，103ｂのスリット５内に摺動自在に挿入されて回転部材107と、上下スライド部材103ａ，103ｂとが係合されている。これにより回転部材107が回動軸８ａを中心に図７（ａ）の矢印Ｒ方向に回動すると、これに連動して上下スライド部材103ａ，103ｂが図７（ａ）の矢印Ｄ，Ｅ方向にそれぞれ移動する。
【００７０】
図７（ｂ）及び図８（ｃ），（ｄ）はＡ４サイズの設定状態を示す。図７及び図８に示すように、上下スライド部材103ｂが図７（ａ）及び図８（ａ），（ｂ）に示す最下位置から図７（ｂ）及び図８（ｃ），（ｄ）に示す最上位置に上昇する。このとき図８（ａ）〜（ｄ）に示す軸部110が該上下スライド部材103ｂに設けられたカム溝からなるスリット112内を摺動して該スリット112に沿って図８（ａ）〜（ｄ）の上部から下部へと移動する。
【００７１】
一方、上下スライド部材103ａが図７（ａ）及び図８（ａ）に示す最上位置から図７（ｂ）及び図８（ｂ）に示す最下位置に下降する。このとき図７（ａ），（ｂ）に示す軸部110が該上下スライド部材103ａに設けられたカム溝からなるスリット112内を摺動して該スリット112に沿って図７（ａ），（ｂ）の下部から上部へと移動する。
【００７２】
これにより図８（ｃ），（ｄ）及び図９（ｂ）に示すように、軸部110が突設された位置決め部材102ｂと、該位置決め部材102ｂに固定された外装板101とが、カセット52の筐体部57に対して３ｍｍ近づく方向に移動する。
【００７３】
図９（ａ），（ｂ）は、操作レバー105を移動する操作に連動して図７（ａ），（ｂ）に示す左右スライド部材108と、非基準側サイド規制板104とが動作する様子を示す平面図である。図９（ａ）はカセット52内の中板58上に積載するシートＳがＬＴＲサイズの場合を示す。図９（ｂ）はカセット52内の中板58上に積載するシートＳがＡ４サイズの場合を示す。
【００７４】
図９（ａ），（ｂ）に示すように、左右スライド部材108には、非基準側サイド規制板104に設けられた突起部115と係合するリブ114が設けられている。左右スライド部材108のリブ114は、図９（ａ），（ｂ）の左側が右側よりも６ｍｍ高くなるような傾斜面114ａが形成されている。
【００７５】
ユーザがＡ４サイズのシートＳをカセット52の中板58上に積載したい場合は、操作レバー105を図９（ａ）の矢印Ｘ方向に移動させる。すると、該操作レバー105の軸106に係合された左右スライド部材108が該操作レバー105と一体的に図９（ａ）の矢印Ｘ方向に移動する。
【００７６】
図９（ａ）の矢印Ｘ方向に移動する左右スライド部材108に設けられたリブ114の傾斜面114ａに沿って非基準側サイド規制板104に設けられた突起部115が摺動移動する。これにより図９（ｂ）に示すように、該非基準側サイド規制板104は、左右スライド部材108に設けられたリブ114の傾斜面114ａに沿って図９（ｂ）の矢印Ｚ方向で示すカセット52の筐体部57に近づく方向に６ｍｍ移動する。
【００７７】
即ち、規制部材となる非基準側サイド規制板104は、カセット52の筐体部57に近づく方向に６ｍｍ移動する。一方、位置決め部材102ａ，102ｂは、カセット52の筐体部57に近づく方向に３ｍｍ移動する。従って、本実施形態では、規制部材となる非基準側サイド規制板104の移動量は、位置決め部材102ａ，102ｂの移動量の二倍（＝６ｍｍ／３ｍｍ）に設定されている。
【００７８】
図９（ｂ）に示すＡ４サイズに設定された状態で、ユーザがカセット52の中板58上にＡ４サイズのシートＳ束を積載し、図２の矢印Ａ方向にカセット52を大容量給送デッキ51本体内に挿入してセットする。すると、図６（ａ），（ｂ）に示す引き込み機構71によりカセット52が大容量給送デッキ51本体内の所定位置に引き込まれ、図９（ａ），（ｂ）示す位置決め部材102ａ，102ｂが大容量給送デッキ51のフレーム部51ａに突き当たる。
【００７９】
このとき位置決め部材102ａ，102ｂは、カセット52の筐体部57に対して、図９（ｂ）に示すカセット52内の中板58上に積載するシートＳがＡ４サイズの場合は以下の通りである。図９（ａ）に示すＬＴＲサイズの場合よりも図９（ｂ）の矢印Ｚ方向で示すカセット52の筐体部57に近づく方向に３ｍｍずれている。
【００８０】
このため図４及び図５に示すカセット52の筐体部57に締結して固定された基準側サイド規制板111の位置は、大容量給送デッキ51本体に対して、図９（ｂ）に示すＡ４サイズの場合は以下の通りである。図９（ａ）に示すＬＴＲサイズの場合よりも３ｍｍ前方（図９（ｂ）の矢印Ｚ方向と反対方向）に位置する。
【００８１】
一方、非基準側サイド規制板104は、カセット52の筐体部57に対して、図９（ｂ）に示すＡ４サイズの場合は以下の通りである。図９（ａ）に示すＬＴＲサイズの場合よりも６ｍｍ後方（図９（ｂ）の矢印Ｚ方向）に移動している。
【００８２】
このため非基準側サイド規制板104は、大容量給送デッキ51本体に対して、図９（ｂ）に示すＡ４サイズの場合は以下の通りである。図９（ａ）に示すＬＴＲサイズの場合よりも３ｍｍ後方（図９（ｂ）の矢印Ｚ方向）に位置する。
【００８３】
これにより非基準側サイド規制板104は、大容量給送デッキ51本体に対しては以下の通りである。ＬＴＲサイズのシートＳの幅（約２１６ｍｍ）と、Ａ４サイズのシートＳの幅（２１０ｍｍ）とのサイズ差（約６ｍｍ＝約２１６ｍｍ−２１０ｍｍ）をシートＳの中心位置を合わせた状態（中央基準）でサイズ変更することができる。
【００８４】
外装板101は、位置決め部材102ａ，102ｂに固定されているため該位置決め部材102ａ，102ｂと一体的に移動する。これによりカセット52内の中板58上に積載するシートＳのサイズを図９（ａ）に示すＬＴＲサイズから、図９（ｂ）に示すＡ４サイズに変更しても外装板101が大容量給送デッキ51のその他の外装部と位置ずれを起こすことがない。
【００８５】
これにより図４及び図５に示す基準側サイド規制板111をカセット52の筐体部57に対して移動させることなく、カセット52内の中板58上に異なるサイズのシートＳを積載することができる。
【００８６】
このため基準側サイド規制板111の強度が確保でき、カセット52内の中板58上にシートＳを多量に積載した状態で該カセット52を勢い良く移動させても基準側サイド規制板111が撓むことがなく、シートＳ束の位置決めを正確に行なうことができる。
【実施例２】
【００８７】
次に、図10〜図15を用いて本発明に係るシート給送装置を備えた画像形成装置の第２実施形態の構成について説明する。尚、前記第１実施形態と同様に構成したものは同一の符号、或いは符号が異なっても同一の部材名を付して説明を省略する。
【００８８】
本実施形態では、前記第１実施形態と同様にレーザービームプリンタからなる画像形成装置１本体の下部に連結される図10に示すシート給送装置となる大容量給送デッキ51本体内に挿入されるカセット52の一例を説明する。尚、画像形成部２や大容量給送デッキ51等の主要な構成は、前記第１実施形態と同様であるため重複する説明は省略する。
【００８９】
図11は本実施形態のシート給送装置となる大容量給送デッキ51（装置本体）から抜き差し可能に設けられ、昇降可能な中板58上にシートＳを積載するカセット52（カセット筐体）の構成を示す斜視図である。図12は本実施形態の外装板201に設けられた連結部材の構成を示す斜視説明図である。
【００９０】
図12に示すように、カセット52（カセット筐体）には、該カセット52内の中板58上に積載されたシートＳの少なくとも一辺の端部を規制する規制部材となる非基準側サイド規制部材204ａ，204ｂ及び後端規制部材206が設けられる。
【００９１】
更に、該カセット52（カセット筐体）には、大容量給送デッキ51（装置本体）の前面側を覆う外装部材となる外装板201が該カセット52に対して移動可能に設けられる。更に、該カセット52（カセット筐体）には、大容量給送デッキ51（装置本体）に対する該カセット52（カセット筐体）の位置を決める位置決め部材となるカセット位置決め部材203ａ，203ｂが設けられる。
【００９２】
更に、該カセット52（カセット筐体）には、該カセット52（カセット筐体）の周囲の一辺に配置された操作レバー205が設けられる。
【００９３】
更に、該カセット52（カセット筐体）には、連結部材が設けられる。連結部材は、該操作レバー205と、規制部材となる非基準側サイド規制部材204ａ，204ｂ及び後端規制部材206と、外装部材となる外装板201と、位置決め部材となるカセット位置決め部材203ａ，203ｂとを連結する。
【００９４】
連結部材は、ラック部材208、該ラック部材208の歯部208ａに噛合するギア207ａ〜207ｃ（図12にギア207ｃは図示されていない）を有する。更に、該ギア207ａ〜207ｃがそれぞれ固定された軸211ａ〜211ｃ、該軸211ａ〜211ｃにそれぞれ固定された外装位置決め部材202ａ，202ｂ等により構成される。
【００９５】
規制部材となる非基準側サイド規制部材204ａ，204ｂ及び後端規制部材206は、カセット52内（カセット筐体内）で軸211ａ〜211ｃを中心に回転可能に構成される。非基準側サイド規制部材204ａ，204ｂ及び後端規制部材206が回転することで異なるサイズのシートＳの端部（シート端部）を規制可能に構成される。
【００９６】
本実施形態の規制部材は、カセット52（カセット筐体）内の中板58上に積載されたシートＳのシート給送方向と平行な端部に当接して該シートＳの幅方向の位置規制を行なうサイド規制部材となる非基準側サイド規制部材204ａ，204ｂを有する。更に、シートＳのシート給送方向の後端部に当接して該シートＳの給送方向の位置規制を行なう後端規制部材206とを有する。
【００９７】
そして、ユーザが操作レバー205を軸211ｂを中心に回動操作して該操作レバー205が固定された軸211ｂが一体的に回転し、該軸211ｂに固定された非基準側サイド規制部材204ｂとギア207ｂとが一体的に回転する。そして、ギア207ｂがラック部材208の歯部208ａと噛合して該ラック部材208が図12の矢印Ｆ方向にスライド移動する。
【００９８】
ラック部材208が図12の矢印Ｆ方向にスライド移動することで、該ラック部材208の歯部208ａと、ギア207ａ，207ｃとの噛合により該ギア207ａ，207ｃが固定された軸211ａ，211ｃが回転する。該軸211ａ，211ｃにそれぞれ固定された非基準側サイド規制部材204ａ、後端規制部材206、外装位置決め部材202ａ，202ｂ及びカセット位置決め部材203ａ，203ｂが一体的に回転する。
【００９９】
ユーザが操作レバー205を軸211ｂを中心に回動操作することにより後端規制部材206と、非基準側サイド規制部材204ａ，204ｂとが連動して所定の位置に位置決めされる。
【０１００】
規制部材となる非基準側サイド規制部材204ａ，204ｂ及び後端規制部材206と、外装部材となる外装板201と、位置決め部材となるカセット位置決め部材203ａ，203ｂとは以下の通りである。カセット52（カセット筐体）に対してそれぞれ移動可能に設けられている。
【０１０１】
そして、ユーザが操作レバー205を軸211ｂを中心に回動操作して所定のシートサイズに設定する。これによりラック部材208、ギア207ａ〜207ｃ、外装位置決め部材202ａ，202ｂ等の連結部材が連動する。これにより規制部材となる非基準側サイド規制部材204ａ，204ｂ及び後端規制部材206と、外装部材となる外装板201と、位置決め部材となるカセット位置決め部材203ａ，203ｂとが連動して所定の位置に位置決めされる。
【０１０２】
図13〜図15に示すように、規制部材となる非基準側サイド規制部材204ａ，204ｂ及び後端規制部材206と、外装部材となる外装板201と、位置決め部材となるカセット位置決め部材203ａ，203ｂとは以下の通り連動する。カセット52（カセット筐体）に対して、該カセット52（カセット筐体）の大容量給送デッキ51（装置本体）に対する挿入方向（図13〜図15の上下方向）に移動する。
【０１０３】
図11及び図12において、204ａ，204ｂは非基準サイド規制部材である。非基準側サイド規制部材204ａ，204ｂは、図11に示すカセット52内の中板58上に積載されたシートＳ束のカセット52の図10に示す大容量給送デッキ51本体に対する挿入方向（図10の矢印Ａ方向）の前方端部を規制する。
【０１０４】
206は、カセット52内の中板58上に積載されたシートＳの給送方向（図10の矢印Ｂ方向）の上流側端部を規制する後端規制部材である。
【０１０５】
図12に示すように、非基準側サイド規制部材204ａ，204ｂ及び後端規制部材206は、それぞれの軸211ａ〜211ｃに連結固定されている。非基準側サイド規制部材204ａ，204ｂ及び後端規制部材206は、それぞれの軸211ａ〜211ｃを中心に回転可能にカセット52の筐体部57に支持されている。
【０１０６】
各軸211ａ〜211ｃ上で非基準側サイド規制部材204ａ，204ｂ及び後端規制部材206のそれぞれの下側には、ラック部材208に設けられた各歯部208ａと噛合するギア207ａ〜207ｃが固定されている。尚、図12において、軸211ｃ上で後端規制部材206の下側に固定されたギア207ｃと、該ギア207ｃが噛合するラック部材208に設けられた歯部208ａは図示されていない。
【０１０７】
ラック部材208に設けられた各歯部208ａと、各軸211ａ〜211ｃ上で非基準側サイド規制部材204ａ，204ｂ及び後端規制部材206のそれぞれの下側に固定された各ギア207ａ〜207ｃとが噛合する。これにより非基準側サイド規制部材204ａ，204ｂ及び後端規制部材206は、連結部材となるラック部材208を介して、各軸211ａ〜211ｃを中心に連動して回転する。
【０１０８】
図12に示すように、非基準側サイド規制部材204ａが固定された軸211ａと、後端規制部材206が固定された軸211ｃには、カセット位置決め部材203ａ，203ｂと、外装位置決め部材202ａ，202ｂとがそれぞれ固定されている。外装板201に設けられた支持フレーム７には略方形状の貫通穴からなる穴部212ａ，212ｂが設けられている。
【０１０９】
図14（ａ）〜（ｃ）に示すように、略方形状の穴部212ａ，212ｂ内には、略扇形状の外装位置決め部材202ａ，202ｂが該穴部212ａ，212ｂの壁面に長径部或いは短径部の外周面が摺動しつつ回転可能に挿入されている。外装位置決め部材202ａ，202ｂが各軸211ａ，211ｃを中心に回転することで、略扇形状の外装位置決め部材202ａ，202ｂの長径部或いは短径部の外周面が略方形状の穴部212ａ，212ｂの内周面に当接摺動する。
【０１１０】
一方、図12に示すように、外装位置決め部材202ａ，202ｂの上部で且つ穴部212ａ，212ｂの内周面に干渉しない位置において各軸211ａ，211ｃにそれぞれカセット位置決め部材203ａ，203ｂが固定されている。カセット位置決め部材203ａ，203ｂは、図15（ａ）〜（ｃ）に示すカセット52の天面に設けられたフレーム位置決め部材214に形成されたＵ字形状のスリット214ａ内に挿入されている。
【０１１１】
カセット位置決め部材203ａ，203ｂが各軸211ａ，211ｃを中心に回転することで、略扇形状のカセット位置決め部材203ａ，203ｂの長径部或いは短径部の外周面がＵ字形状のスリット214ａの壁面に当接摺動する。
【０１１２】
図15（ａ）〜（ｃ）に示すように、各軸211ａ，211ｃを中心にカセット位置決め部材203ａ，203ｂが回転する。これにより大容量給送デッキ51本体に対するカセット52の挿入方向（図15（ａ）〜（ｃ）の矢印Ａ方向）の位置決めを行なうことが出来る。
【０１１３】
＜シートサイズ変更操作＞
次に図10〜図15を用いてユーザが操作レバー205を操作してカセット52内の中板58上に積載するシートＳのサイズを切り替える際の動作について説明する。尚、本実施形態では、カセット52内の中板58上には、ＬＴＲサイズ、Ａ４サイズ、ＬＧＬ（Legal；リーガル）サイズ（２１５．９ｍｍ×３５５．６ｍｍ）の三種類のシートＳが積載出来る。以下に図13（ａ）、図14（ａ）及び図15（ａ）に示すＬＴＲサイズの設定状態から、図13（ｂ）、図14（ｂ）及び図15（ｂ）に示すＡ４サイズの設定状態に変更する際の動作について説明する。
【０１１４】
図11及び図12に示すように、軸211ｂには、ユーザがカセット52内の中板58上に積載するシートＳ束のサイズを切り替える際に操作する操作レバー205が設けられている。図13（ａ）は、カセット52内の中板58上に積載するシートＳがＬＴＲサイズの場合を示す。図13（ｂ）はカセット52内の中板58上に積載するシートＳがＡ４サイズの場合を示す。図13（ｃ）はカセット52内の中板58上に積載するシートＳがＬＧＬサイズの場合を示す。
【０１１５】
ユーザがカセット52内の中板58上に積載するシートＳ束のサイズを図13（ａ）に示すＬＴＲサイズの設定状態から、図13（ｂ）に示すＡ４サイズの設定状態に変更する。その際、ユーザは操作レバー205を軸211ｂを中心に図13（ａ）に示すＬＴＲサイズの設定状態から図13（ａ）の矢印Ｃ方向に９０度回動する。これにより図13（ｂ）に示すＡ４サイズの設定状態となる。
【０１１６】
このとき図12に示す操作レバー205が固定されている軸211ｂと、該軸211ｂに固定されている非基準側サイド規制部材204ｂと、該軸211ｂに固定されているギア207ｂとが該軸211ｂを中心に一体的に回転する。
【０１１７】
操作レバー205の回転と一体的に軸211ｂを中心にギア207ｂが回転すると、該ギア207ｂと噛合し得る位置に歯部208ａが設けられたラック部材208が図12の矢印Ｆ方向にスライド移動する。
【０１１８】
ラック部材208が図12の矢印Ｆ方向にスライド移動することにより該ラック部材208の歯部208ａにそれぞれ噛合するギア207ａ，207ｃが固定された軸211ａ，211ｃがそれぞれ図13（ａ）の矢印Ｃ方向に回転する。
【０１１９】
そして、図12に示すように、該軸211ａ，211ｃにそれぞれ固定された外装位置決め部材202ａ，202ｂ及びカセット位置決め部材203ａ，203ｂが該軸211ａ，211ｃを中心に回転する。図13（ａ）に示すＬＴＲサイズの設定状態から、図13（ａ）の矢印Ｃ方向に９０度回転する。これにより図13（ｂ）に示すＡ４サイズの設定状態となる。尚、図12において、ギア207ｃは図示されていない。
【０１２０】
図12に示す非基準側サイド規制部材204ａ，204ｂ及び後端規制部材206は、図13（ａ）に示すＬＴＲサイズの設定状態から、それぞれ軸211ａ〜211ｃを中心に図13（ａ）の矢印Ｃ方向に９０度回転する。そのとき、非基準側サイド規制部材204ａ，204ｂは、図13（ｂ）に示すように、シートＳの側端部との当接面が図13（ａ）に示すＬＴＲサイズのときよりも６ｍｍ程度、カセット52本体の奥側（図13（ｂ）の上側）に位置する。
【０１２１】
一方、後端規制部材206は、シートＳの後端角部との当接面が、図13（ａ）に示すＬＴＲサイズのシートＳの後端角部を規制するコーナ規制部206ａから図13（ｂ）に示すＡ４サイズのシートＳの後端角部を規制するコーナ規制部206ｂに切り替わる。
【０１２２】
これにより後端規制部材206により規制されるシートＳの後端部は、図13（ａ）に示すＬＴＲサイズのときよりも１７．６ｍｍ程度、シートＳの給送方向（図13（ａ），（ｂ）の左右方向）の上流側（図13（ａ），（ｂ）の左側）に位置する。
【０１２３】
これにより図13（ｂ）に示すＡ４サイズの設定状態でＡ４サイズのシートＳ束をカセット52内の中板58上に積載する際に該シートＳ束の後端部及び側端部を非基準側サイド規制部材204ａ，204ｂ及び後端規制部材206により規制することが出来る。
【０１２４】
図14（ａ），（ｂ）は、ユーザが図13（ａ）に示す操作レバー205を軸211ｂを中心に図13（ａ）に示すＬＴＲサイズの設定状態から、図13（ａ）の矢印Ｃ方向に９０度回動する。その際の外装位置決め部材202ａ，202ｂと、外装板201との動作を示す平面説明図である。
【０１２５】
図14（ａ）はカセット52内の中板58上に積載するシートＳがＬＴＲサイズの場合を示す。図14（ｂ）はカセット52内の中板58上に積載するシートＳがＡ４サイズの場合を示す。図14（ｃ）はカセット52内の中板58上に積載するシートＳがＬＧＬサイズの場合を示す。
【０１２６】
図14（ａ）〜（ｃ）に示すように、外装板201の支持フレーム７には、カセット52の筐体部57に突設されたピン210が摺動自在に挿通される長穴213が設けられている。図14（ａ）に示すように、ＬＴＲサイズの場合の外装板201の位置の設定時は以下の通りである。略扇形状の外装位置決め部材202ａ，202ｂの短径部と、外装板201の支持フレーム７に設けられた略方形状の穴部212ａ，212ｂの一辺（図14（ａ）の下辺）の壁面とが当接する。
【０１２７】
そして、カセット52の筐体部57に突設されたピン210が外装板201の支持フレーム７に設けられた長穴213の長手方向（図14（ａ）の上下方向）の壁面の一端部（図14（ａ）の上端部）に当接する。これにより外装板201の支持フレーム７が外装位置決め部材202ａ，202ｂと、ピン210とにより挟持されて固定され、外装板201が位置決めされる。
【０１２８】
図13（ａ）に示す操作レバー205を軸211ｂを中心に図13（ａ）に示すＬＴＲサイズの設定状態から、図13（ａ）の矢印Ｃ方向に９０度回動させる。これにより図14（ａ）に示すカセット52内の中板58上に積載するシートＳがＬＴＲサイズから、図14（ｂ）に示すカセット52内の中板58上に積載するシートＳがＡ４サイズに変更する。これにより外装位置決め部材202ａ，202ｂがそれぞれ軸211ａ，211ｃを中心に図14（ａ）の矢印Ｃ方向に９０度回転する。
【０１２９】
すると、図14（ｂ）に示すように、略扇形状の外装位置決め部材202ａ，202ｂは以下の通り回転する。外装板201の支持フレーム７に設けられた略方形状の穴部212ａ，212ｂの壁面に摺動しつつそれぞれ軸211ａ，211ｃを中心に図14（ｂ）の矢印Ｃ方向に９０度回転する。
【０１３０】
これにより略扇形状の外装位置決め部材202ａ，202ｂの長径部と、外装板201の支持フレーム７に設けられた略方形状の穴部212ａ，212ｂの他辺（図14（ｂ）の上辺）の壁面とが当接する。そして、カセット52の筐体部57に突設されたピン210が外装板201の支持フレーム７に設けられた長穴213内を摺動して該長穴213の長手方向（図14（ｂ）の上下方向）の壁面の他端部（図14（ａ）の下端部）に当接する。
【０１３１】
これにより外装板201の支持フレーム７が外装位置決め部材202ａ，202ｂと、ピン210とにより挟持されて固定される。これにより外装板201がカセット52本体（筐体部57）に対して該カセット52本体の奥側方向（図14（ｂ）の上側方向）に３ｍｍ程度移動して位置決めされる。
【０１３２】
次に図10及び図15を用いて大容量給送デッキ51にカセット52を挿入する際の該カセット52の位置決め動作について説明する。図10に示すように、大容量給送デッキ51の天板51ｂの下面には、Ｕ字形状のスリット214ａが形成されたフレーム位置決め部材214が設けられている。
【０１３３】
カセット52を大容量給送デッキ51に挿入する際に、該カセット52に設けられたカセット位置決め部材203ａ，203ｂの長径部及び短径部の外周面がＵ字形状のスリット214ａの内壁面に当接摺動する。フレーム位置決め部材214には、更にＹ字形状のスリット209が設けられている。
【０１３４】
図10に示すように、カセット52を大容量給送デッキ51に対して図10の矢印Ａ方向に挿入する。その際に、図11及び図12に示すカセット52に設けられた軸211ｂが図15（ａ）〜（ｃ）に示すフレーム位置決め部材214に設けられたＹ字形状のスリット209にガイドされる。そして、カセット52の大容量給送デッキ51に対する横方向（図15（ａ）〜（ｃ）の左右方向）の位置が位置決めされる。
【０１３５】
図15（ａ）はカセット52内の中板58上に積載するシートＳがＬＴＲサイズの場合を示す。図15（ｂ）はカセット52内の中板58上に積載するシートＳがＡ４サイズの場合を示す。図15（ｃ）はカセット52内の中板58上に積載するシートＳがＬＧＬサイズの場合を示す。
【０１３６】
カセット52が所定の位置まで大容量給送デッキ51内に挿入されると、図６（ａ），（ｂ）に示す引き込み機構71により該カセット52が大容量給送デッキ51内の奥方向（図10の矢印Ａ方向）に引き込まれる。これにより図15（ａ）〜（ｃ）に示すように、カセット52に設けられた略扇形状のカセット位置決め部材203ａ，203ｂが、大容量給送デッキ51に設けられたフレーム位置決め部材214に形成されたＵ字形状のスリット214ａの壁面に当接する。これにより大容量給送デッキ51に対するカセット52の奥方向（図10の矢印Ａ方向）の位置が位置決めされる。
【０１３７】
図15（ａ）〜（ｃ）に示すように、カセット位置決め部材203ａ，203ｂは、図15（ａ）に示すＬＴＲサイズの場合は以下の通りである。略扇形状のカセット位置決め部材203ａ，203ｂの短径部の外周面がＵ字形状のスリット214ａの内壁面に当接する。一方、図15（ｂ）に示すＡ４サイズの場合は、略扇形状のカセット位置決め部材203ａ，203ｂの長径部がＵ字形状のスリット214ａの壁面に当接する。
【０１３８】
これにより図15（ａ）に示すＬＴＲサイズの場合と、図15（ｂ）に示すＡ４サイズの場合とでは以下の通りである。カセット位置決め部材203ａ，203ｂのフレーム位置決め部材214のＵ字形状のスリット214ａの内壁面と当接する外周面が短径部と長径部とで図15（ａ）〜（ｃ）の矢印Ａ方向に３ｍｍ程度ずれている。
【０１３９】
これにより図15（ｂ）に示すＡ４サイズの設定時は、図15（ａ）に示すＬＴＲサイズの設定時と比べて大容量給送デッキ51本体に対するカセット52の筐体部57の位置が相対的に３ｍｍ程度移動する。
【０１４０】
即ち、本実施形態では、図13（ａ），（ｂ）に示すように、規制部材となる非基準側サイド規制部材204ａ，204ｂ及び後端規制部材206は以下の通りである。図13（ａ）に示すＬＴＲサイズの設定状態から、それぞれ軸211ａ〜211ｃを中心に図13（ａ）の矢印Ｃ方向に９０度回転する。
【０１４１】
そのとき、非基準側サイド規制部材204ａ，204ｂ及び後端規制部材206のシートＳの側端部との当接面は図13（ａ）に示すＬＴＲサイズの設定状態から、図13（ｂ）に示すＡ４サイズの設定状態に変更されると移動量が６ｍｍである。
【０１４２】
一方、図15（ａ），（ｂ）に示すように、位置決め部材となるカセット位置決め部材203ａ，203ｂの移動量は、短径部と長径部との長さの差である３ｍｍである。
【０１４３】
従って、図13（ａ），（ｂ）に示す規制部材となる非基準側サイド規制部材204ａ，204ｂ及び後端規制部材206のシートＳの側端部との当接面の移動量は以下の通りである。図15（ａ），（ｂ）に示す位置決め部材となるカセット位置決め部材203ａ，203ｂの移動量の二倍（＝６ｍｍ／３ｍｍ）に設定される。
【０１４４】
一方、外装板201は、図14（ｂ）に示すように、カセット位置決め部材203ａ，203ｂと一体的にカセット52の筐体部57に対して３ｍｍ程度、カセット52本体の奥側（図14（ｂ）の上側）に移動している。これにより図15（ａ）に示すＬＴＲサイズから、図15（ｂ）に示すＡ４サイズに変更してもカセット52の外装板201が大容量給送デッキ51のその他の外装部とずれることはない。
【０１４５】
これにより図11に示す基準側サイド規制板111をカセット52の筐体部57に対して動作させることなく異なるサイズのシートＳを中板58上に積載することができる。このため基準側サイド規制板111の強度が確保でき、カセット52の中板58上にシートＳを多量に積載した状態で、カセット52を勢い良く移動させても基準側サイド規制板111が撓むことがなく、シートＳ束の位置決めを正確に行なうことができる。
【０１４６】
一方、図13（ｂ）、図14（ｂ）及び図15（ｂ）に示すＡ４サイズから、図13（ｃ）、図14（ｃ）及び図15（ｃ）に示すＬＧＬサイズに変更する。その際には、図13（ｂ）に示す状態の操作レバー205を更に軸211ｂを中心に図13（ｂ）の矢印Ｃ方向に９０度回転させて図13（ｂ）に示すＡ４サイズの位置から、図13（ｃ）に示すＬＧＬサイズの位置に移動させる。
【０１４７】
このような操作レバー205の回動操作により図12に示す該操作レバー205が固定されている軸211ｂが回転する。更に、該軸211ｂに固定されている非基準側サイド規制部材204ｂが回転する。更に、該軸211ｂに固定されているギア207ｂとが該軸211ｂを中心に一体的に回転する。
【０１４８】
操作レバー205と一体的にギア207ｂが回転すると、該ギア207ｂと噛合する歯部208ａが設けられたラック部材208が図13（ｃ）の矢印Ｆ方向にスライド移動する。これによりラック部材208の歯部208ａにそれぞれ噛合する図12に示すギア207ａ，207ｃが固定された軸211ａ，211ｃがそれぞれ図13（ｃ）の矢印Ｃ方向に回転する。
【０１４９】
そして、該軸211ａ，211ｃにそれぞれ固定された図13（ｃ）に示すカセット位置決め部材203ａ，203ｂ及び図14（ｃ）に示す外装位置決め部材202ａ，202ｂが該軸211ａ，211ｃを中心に以下の通り回転する。図13（ｂ）に示すＡ４サイズの設定状態から、図13（ｃ）の矢印Ｃ方向に９０度回動する。これにより図13（ｃ）に示すＬＧＬサイズの設定状態となる。尚、図12では、ギア207ｃは図示されていない。
【０１５０】
図13（ｃ）に示す非基準側サイド規制部材204ａ，204ｂ及び後端規制部材206は、図13（ｂ）に示すＡ４サイズの設定状態から、それぞれ軸211ａ〜211ｃを中心に図13（ｃ）の矢印Ｃ方向に９０度回転する。そのときに、非基準側サイド規制部材204ａ，204ｂは、シートＳの端部との当接面が、図13（ｂ）に示すＡ４サイズのときよりも６ｍｍ程度、カセット52本体の手前側（図13（ｃ）の下側）に位置する。
【０１５１】
一方、後端規制部材206は、シートＳの端部との当接面が以下の通り切り替わる。図13（ｂ）に示すＡ４サイズのシートＳの後端角部を規制するコーナ規制部206ｂから、図13（ｃ）に示すＬＧＬサイズのシートＳの側端部を規制する平坦面からなる側端規制部206ｃに切り替わる。これによりＬＧＬサイズのシートＳ束をカセット52内の中板58上に積載する際に該シートＳ束の側端部を非基準側サイド規制部材204ａ，204ｂ及び後端規制部材206により規制することが出来る。
【０１５２】
図13（ｃ）に示すように、ＬＧＬサイズ時の後端規制部材206は、非基準側サイド規制部材204ａ，204ｂの規制面と面一に設定される。カセット52内の中板58上に積載するＬＧＬサイズのシートＳの後端は、カセット52の筐体部57の内壁面に当接して位置規制を行なうようになっている。
【０１５３】
また、図14（ｃ）に示すように、略扇形状の外装位置決め部材202ａ，202ｂが、外装板201の支持フレーム７に設けられた略方形状の穴部212ａ，212ｂの壁面に摺動回転する。そして各軸211ａ，211ｃを中心に図14（ｃ）の矢印Ｃ方向に９０度回転する。
【０１５４】
これにより略扇形状の外装位置決め部材202ａ，202ｂの短径部と、外装板201の支持フレーム７に設けられた略方形状の穴部212ａ，212ｂの一辺（図14（ｃ）の下辺）の壁面とが当接する。そして、カセット52の筐体部57に突設されたピン210が外装板201の支持フレーム７に設けられた長穴213内を摺動して該長穴213の長手方向（図14（ｃ）の上下方向）の壁面の一端部（図14（ｃ）の上端部）に当接する。
【０１５５】
これにより外装板201の支持フレーム７が外装位置決め部材202ａ，202ｂと、ピン210とにより挟持されて固定される。これにより外装板201がカセット52本体（筐体部57）に対して該カセット52本体の手前側方向（図14（ｃ）の下側方向）に３ｍｍ程度移動して位置決めされる。
【０１５６】
また、図15（ｃ）に示すように、カセット52内の中板58上に積載するシートＳがＬＧＬサイズの場合は、略扇形状のカセット位置決め部材203ａ，203ｂの短径部がＵ字形状のスリット214ａの壁面に当接する。これにより図15（ｃ）に示すＬＧＬサイズの設定時は、図15（ｂ）に示すＡ４サイズの設定時と比べて大容量給送デッキ51本体に対するカセット52の筐体部57の位置が相対的に３ｍｍ程度移動する。
【０１５７】
即ち、本実施形態では、図13（ｂ），（ｃ）に示すように、規制部材となる非基準側サイド規制部材204ａ，204ｂ及び後端規制部材206は以下の通り回転する。図13（ｂ）に示すＡ４サイズの設定状態から、それぞれ軸211ａ〜211ｃを中心に図13（ｂ）の矢印Ｃ方向に９０度回転する。
【０１５８】
そのとき、非基準側サイド規制部材204ａ，204ｂ及び後端規制部材206のシートＳの側端部との当接面は図13（ｂ）に示すＡ４サイズの設定状態から、図13（ｃ）に示すＬＧＬサイズの設定状態に変更される。そのときの当接面の移動量は６ｍｍである。
【０１５９】
一方、図15（ｂ），（ｃ）に示すように、位置決め部材となるカセット位置決め部材203ａ，203ｂの移動量は、長径部と短径部との長さの差である３ｍｍである。
【０１６０】
従って、図13（ｂ），（ｃ）に示す規制部材となる非基準側サイド規制部材204ａ，204ｂ及び後端規制部材206のシートＳの側端部との当接面の移動量は以下の通りである。図15（ｂ），（ｃ）に示す位置決め部材となるカセット位置決め部材203ａ，203ｂの移動量の二倍（＝６ｍｍ／３ｍｍ）に設定される。
【０１６１】
これによりＬＧＬサイズのシートＳでもＡ４サイズのシートＳと同様に、図11に示す基準側サイド規制板111をカセット52の筐体部57に対して動作させることなく、異なるサイズのシートＳを中板58上に積載することができる。
【０１６２】
このため基準側サイド規制板111の強度が確保でき、カセット52の中板58上にシートＳを多量に積載した状態で、該カセット52を勢い良く移動させても基準側サイド規制板111が撓むことがなく、シートＳ束の位置決めを正確に行なうことができる。他の構成は前記第１実施形態と同様に構成され、同様の効果を得ることが出来る。
【符号の説明】
【０１６３】
Ｓ    …シート
51    …大容量給送デッキ(シート給送装置;装置本体)
52    …カセット（カセット筐体）
101   …外装板(外装部材)
102ａ，102ｂ …位置決め部材
104   …非基準側サイド規制板(規制部材)
【図１】
2016137983.tif 000003
【図２】
2016137983.tif 000004
【図３】
2016137983.tif 000005
【図４】
2016137983.tif 000006
【図５】
2016137983.tif 000007
【図６】
2016137983.tif 000008
【図７】
2016137983.tif 000009
【図８】
2016137983.tif 000010
【図９】
2016137983.tif 000011
【図１０】
2016137983.tif 000012
【図１１】
2016137983.tif 000013
【図１２】
2016137983.tif 000014
【図１３】
2016137983.tif 000015
【図１４】
2016137983.tif 000016
【図１５】
2016137983.tif 000017